(57)【要約】【課題】  第１のアンテナ装置とこれとは別のアンテナ装置の受信信号の切替えを自動で行うことのできるアンテナ用信号切替え回路を提供する。【解決手段】  第１のアンテナ装置が接続可能な第１の端子部（Ｐ２）と、第２のアンテナ装置が接続可能な第２の端子部（Ｐ３）と、前記第１の端子部を通して前記第１のアンテナ装置からの受信信号を前記チューナに供給するための第１の受信信号供給回路（Ｌ２）と、前記第２の端子部を通して前記第２のアンテナ装置からの受信信号を前記チューナに供給するための第２の受信信号供給回路（Ｌ４）と、前記第２の端子部に対して前記第２のアンテナ装置が接続または非接続とされたことを検出して前記チューナに対する前記第１、第２の受信信号供給回路の接続を切り替える切替え手段（ＤＴ、ＤＩ、ＳＷ）とを備えた。【選択図】      図１
2005236765.tif 000002
【特許請求の範囲】
【請求項１】
第１のアンテナ装置の受信信号と第２のアンテナ装置の受信信号を切り替えて受信回路に供給するためのアンテナ用信号切替え回路において、
前記第１のアンテナ装置が接続可能な第１の端子部と、
前記第２のアンテナ装置が接続可能な第２の端子部と、
前記第１の端子部を通して前記第１のアンテナ装置からの受信信号を前記受信回路に供給するための第１の受信信号供給回路と、
前記第２の端子部を通して前記第２のアンテナ装置からの受信信号を前記受信回路に供給するための第２の受信信号供給回路と、
前記第１、第２の端子部の一方に対して、対応する前記第１、第２のアンテナ装置の一方が接続または非接続とされたことを検出して前記受信回路への前記第１、第２の受信信号供給回路の接続を切り替える切替え手段とを備えたことを特徴とするアンテナ用信号切替え回路。
【請求項２】
前記第１の端子部と前記受信回路との間には該受信回路側から該第１の端子部を介して前記第１のアンテナ装置に直流を供給し、該第１のアンテナ装置からの受信信号は断とする第１の直流供給回路が接続され、
前記第２の端子部と前記受信回路との間には該受信回路側から該第２の端子部を介して前記第２のアンテナ装置に直流を供給し、該第２のアンテナ装置からの受信信号は断とする第２の直流供給回路が接続され、
前記切替え手段は、前記第２の直流供給回路に挿入接続された電流検出用抵抗と、該電流検出用抵抗に流れる電流を検出する電流検出回路と、
前記第１の受信信号供給回路と前記第２の受信信号供給回路と前記受信回路との間に接続されて前記受信回路への前記第１、第２の受信信号供給回路の接続を切り替えるスイッチと、
前記電流検出回路の出力に応じて前記スイッチの切替えを行う回路手段とから成ることを特徴とする請求項１に記載のアンテナ用信号切替え回路。
【請求項３】
前記第１のアンテナ装置は可搬型電子機器に内蔵される小型アンテナ装置であり、前記第２のアンテナ装置は前記可搬型電子機器に別体として用意されてケーブルを介して前記第２の端子部に接続可能にされている小型アンテナ装置であることを特徴とする請求項１または２に記載のアンテナ用信号切替え回路。
【請求項４】
前記第１の端子部には前記第１のアンテナ装置が常時接続されていると共に前記スイッチは前記第１の受信信号供給回路を前記受信回路に接続するようにされており、前記電流検出回路は前記第２の端子部に前記第２のアンテナ装置が接続された時に前記第２の直流供給回路に流れる電流により前記電流検出用抵抗に流れる電流を検出し、前記回路手段は前記電流検出回路で検出された検出値に基いて前記第２の受信信号供給回路を前記受信回路に接続するように前記スイッチの切替えを行うことを特徴とする請求項２または３に記載のアンテナ用信号切替え回路。
【請求項５】
前記第１、第２のアンテナ装置は、デジタルラジオ受信用の小型アンテナ装置であることを特徴とする請求項１〜４のいずれかに記載のアンテナ用信号切替え回路。
【発明の詳細な説明】
【技術分野】
【０００１】
本発明は、アンテナ用信号の自動切替え回路に関し、例えば人工衛星からの電波（以下「衛星波」とも呼ぶ）または地上での電波（以下「地上波」とも呼ぶ）を受信してデジタルラジオ放送（単に、ラジオ放送とも呼ぶ）を聴取することが可能なデジタルラジオチューナを少なくとも筐体に内蔵する可搬型電子機器に適したアンテナ用信号切替え回路に関する。
【背景技術】
【０００２】
近時、人工衛星からの電波（衛星波）または地上波を受信して、デジタルラジオ放送を聴取可能にしたデジタルラジオ受信機が開発され、米国において実用化されている。このデジタルラジオ受信機は、周波数が約２．３３ＧＨｚの電波を受信してラジオ放送を聴取することが可能である。尚、地上波は、衛星波を一旦、地上局で受信した後、周波数を若干シフトしたものである。
【０００３】
デジタルラジオ受信機としては、自動車に搭載されるもの、家屋などに設置されるもの、さらに、バッテリを電源として持ち運びができる可搬型のものがある。
【０００４】
可搬型のデジタルラジオ受信機として、より具体的には、デジタルラジオ放送を受信するためのデジタルラジオチューナに加え、例えばＣＤ（コンパクトディスク）等の光ディスクを再生するための光ディスクドライブや、アンプや、スピーカを一体的に筐体に内蔵した可搬型音響機器等の可搬型電子機器も提供されている。
【０００５】
約２．３３ＧＨｚの周波数の電波を受信するためのアンテナ装置としては、種々の構造のものが提供されている。その形状で大別すると、パッチアンテナである平面型（平板型）と、ループアンテナ等の円筒型とがある。このようなパッチアンテナ装置やループアンテナ装置は、従来、前述した可搬型電子機器の筐体とは別体の状態で用意され、筐体に内蔵されたデジタルラジオチューナに対してケーブルおよびコネクタを介して接続され、使用される。
【０００６】
尚、特許文献１には、デジタルラジオ放送用ではないが、衛星波に適用可能なパッチアンテナを有する電子機器が開示されている。
【０００７】
【特許文献１】特開２００３−１６３５２１号公報
【発明の開示】
【発明が解決しようとする課題】
【０００８】
ところで、アンテナ装置を可搬型電子機器に内蔵することが提案されている。しかしながら、可搬型電子機器に内蔵されたアンテナ装置では、内蔵された状態での受信という性質上、場所によっては受信感度が低くなる場合がある。このため、可搬型電子機器はアンテナ装置を内蔵するだけでなく、外付用の別体のアンテナ装置も接続可能にされている方が好ましい。
【０００９】
この場合、ユーザは、デジタルラジオ放送を受信する場合、どちらのアンテナ装置を使用するか決めた上で、スイッチ等による切替え操作を行うことが必要である。特に、別体のアンテナ装置を使用する場合、その接続作業、つまり別体のアンテナ装置のジャックを可搬型電子機器のレセプタクルに差し込む作業を行った上で切替え操作を行うことが必要である。
【００１０】
そこで、本発明の課題は、第１のアンテナ装置とこれとは別のアンテナ装置の受信信号の切替えを自動で行うことのできるアンテナ用信号切替え回路を提供することにある。
【００１１】
本発明のより具体的な課題は、可搬型電子機器に別体のアンテナ装置のジャックを差し込むだけで内蔵アンテナ装置と別体のアンテナ装置の受信信号の切替えを自動的に行うアンテナ用信号切替え回路を提供することにある。
【課題を解決するための手段】
【００１２】
本発明によるアンテナ用信号切替え回路は、第１のアンテナ装置（２０）の受信信号と第２のアンテナ装置の受信信号を切り替えて受信回路に供給するためのものであり、前記第１のアンテナ装置が接続可能な第１の端子部（Ｐ２）と、前記第２のアンテナ装置が接続可能な第２の端子部（Ｐ３）と、前記第１の端子部を通して前記第１のアンテナ装置からの受信信号を前記受信回路に供給するための第１の受信信号供給回路（Ｌ２）と、前記第２の端子部を通して前記第２のアンテナ装置からの受信信号を前記受信回路に供給するための第２の受信信号供給回路（Ｌ４）と、前記第１、第２の端子部の一方に対して、対応する前記第１、第２のアンテナ装置の一方が接続または非接続とされたことを検出して前記受信回路への前記第１、第２の受信信号供給回路の接続を切り替える切替え手段とを備えたことを特徴とする。
【００１３】
本発明によるアンテナ用信号切替え回路においては、前記第１の端子部と前記受信回路との間には該受信回路側から該第１の端子部を介して前記第１のアンテナ装置に直流を供給し、該第１のアンテナ装置からの受信信号は断とする第１の直流供給回路（Ｌ１）が接続され、前記第２の端子部と前記受信回路との間には該受信回路側から該第２の端子部を介して前記第２のアンテナ装置に直流を供給し、該第２のアンテナ装置からの受信信号は断とする第２の直流供給回路（Ｌ３）が接続され、前記切替え手段は、前記第２の直流供給回路に挿入接続された電流検出用抵抗（Ｒ１）と、該電流検出用抵抗に流れる電流を検出する電流検出回路（ＤＴ）と、前記第１の受信信号供給回路と前記第２の受信信号供給回路と前記受信回路との間に接続されて前記受信回路への前記第１、第２の受信信号供給回路の接続を切り替えるスイッチ（ＳＷ）と、前記電流検出回路の出力に応じて前記スイッチの切替えを行う回路手段（ＤＩ）とから成る。
【００１４】
本発明によるアンテナ用信号切替え回路においてはまた、前記第１のアンテナ装置は可搬型電子機器に内蔵される小型アンテナ装置（２０）であり、前記第２のアンテナ装置は前記可搬型電子機器に別体として用意されてケーブルを介して前記第２の端子部に接続可能にされている小型アンテナ装置であることを特徴とする。
【００１５】
本発明によるアンテナ用信号切替え回路においては更に、前記第１の端子部には前記第１のアンテナ装置が常時接続されていると共に前記スイッチは前記第１の受信信号供給回路を前記受信回路に接続するようにされており、前記電流検出回路は前記第２の端子部に前記第２のアンテナ装置が接続された時に前記第２の直流供給回路に流れる電流により前記電流検出用抵抗に流れる電流を検出し、前記回路手段は前記電流検出回路で検出された検出値に基いて前記第２の受信信号供給回路を前記受信回路に接続するように前記スイッチの切替えを行うことを特徴とする。
【００１６】
本発明によるアンテナ用信号切替え回路は、前記第１、第２のアンテナ装置が例えば、デジタルラジオ受信用の小型アンテナ装置である場合に適している。
【００１７】
尚、上記括弧内の符号は、本発明の理解を容易にするために付したものであり、一例にすぎず、これらに限定されないのは勿論である。
【発明の効果】
【００１８】
本発明によるアンテナ用信号切替え回路は、ユーザが端子部にジャックの挿抜を行うだけで受信信号の切替えを自動的に行うことができる。また、切替え用の手段を、例えば高周波リレーやＲＦスイッチのような高価な部品ではなく、安価なスイッチを使用して実現できるので最小のコストで自動切替えを実現できる。
【発明を実施するための最良の形態】
【００１９】
本発明によるアンテナ用信号切替え回路を説明する前に、本発明が適用され得る可搬型電子機器の一例について説明する。
【００２０】
図２、図３を参照して、本発明が適用され得る可搬型電子機器は、衛星波または地上波をパッチアンテナ装置２０によって受信してデジタルラジオ放送を聴取するためのデジタルラジオチューナ、少なくともＣＤを再生することのできる光ディスクドライブ、音声アンプ、スピーカ（いずれも図示省略）等を筐体（図示省略）に内蔵した可搬型音響機器である。
【００２１】
本可搬型音響機器はまた、図示はしないが、商用交流電源を所定電圧の直流に変換するＡＣ／ＤＣ変換部もしくは直流電源接続端子と、乾電池等のバッテリを収容する電池ホルダとを筐体に内蔵する。従って、本可搬型音響機器は商用交流電源もしくは直流電源ならびにバッテリのいずれでも動作可能である。
【００２２】
光ディスクドライブは、筐体の天面に扉式の蓋１０を備えている。蓋１０は、光ディスクを着脱するに際して開閉される。扉１０は、図示しないヒンジ機構を備える。扉１０は、このヒンジ機構を中心にして、バネによる弾性で開動作するか、あるいは電動機構によって開閉動作する。
【００２３】
蓋１０は、樹脂製のトップカバー１１と金属製のボトムカバー１２とから成る。トップカバー１１は透明または半透明樹脂製の窓部材１３を備えている。窓部材１３は、トップカバー１１に形成された切欠１１ａに取り付けられている。ボトムカバー１２は、トップカバー１１に対して、ねじ止めによって固定されている。窓部材１３は、光ディスクドライブのターンテーブル上にホールドされたＣＤの有無や回転状況を、ボトムカバー１２に形成された切欠１２ａを通して視認するための覗き窓として機能する。
【００２４】
パッチアンテナ装置２０は、アンテナ部２１と同軸ケーブル２２とを備えている。アンテナ部２１ならびに同軸ケーブル２２の一部は、蓋１０に内蔵されている。アンテナ部２１は、蓋１０に内蔵されているため、アンテナ部２１独自にアッパーカバーを設ける必要がなく、構造が簡素である。尚、同軸ケーブル２２は、受信信号を伝達する線材に加え、電源線をも含む多芯タイプである。
【００２５】
アンテナ部２１のシールドケースならびに同軸ケーブル２２の一部は、ボトムカバー１２に設けられた切り起こし１２ｂによって固定保持されている。特に、アンテナ部２１は、ボトムカバー１２の切り起こし１２ｂが当接する部分がシールドケースとなっている。これにより、アンテナ部２１のグランドパターンやグランド層（図示省略）とボトムカバー１２との電気的導通が実現されている。尚、アンテナ部２１は、切り起こし１２ｂだけではなく、接着剤や両面テープをも併用して固定されてもよい。
【００２６】
図１を参照して、本発明によるアンテナ用信号切替え回路の実施の形態について説明する。本アンテナ用信号切替え回路は、２つの小型アンテナ装置の受信信号の切替えに適用される。つまり、本アンテナ信号用切替え回路を上述した可搬型音響機器に適用する場合、上述したデジタルチューナ（受信回路）に接続されている端子部（レセプタクル）Ｐ１と、上述した内蔵用のパッチアンテナ装置２０の同軸ケーブル２２に接続されたジャックを差し込み可能な端子部（レセプタクル）Ｐ２と、別体のアンテナ装置の同軸ケーブル（図示省略）に接続されたジャックを差し込み可能な端子部（レセプタクル）Ｐ３とを備える。なお、別体のアンテナ装置は、パッチアンテナ装置２０と同じタイプである必要は無い。なお、端子部とケーブルとの接続は、ジャックとレセプタクルとによる接続に限定されないことは言うまでもない。
【００２７】
端子部Ｐ１とＰ２との間には、チョークコイルＣＣ１とＣＣ２とを直列接続して成る直流供給ラインＬ１が接続されている。端子部Ｐ１とＰ２との間にはまた、スイッチＳＷの一方の切替え経路を介して受信信号供給ラインＬ２が形成されるようにしている。
【００２８】
一方、端子部Ｐ１とＰ３との間には、チョークコイルＣＣ１と電流検出用抵抗Ｒ１、チョークコイルＣＣ３とを直列接続して成る直流供給ラインＬ３が接続されている。端子部Ｐ１とＰ３との間にはまた、スイッチＳＷの他方の切替え経路を介して受信信号供給ラインＬ４が形成されるようにしている。
【００２９】
ここで、直流供給ラインＬ１、Ｌ３は、それぞれパッチアンテナ装置２０、別体のアンテナ装置に直流を供給するためのラインである。一方、受信信号供給ラインＬ２、Ｌ４は、それぞれパッチアンテナ装置２０、別体のアンテナ装置で受信された高周波信号をデジタルチューナに供給するためのラインである。つまり、高周波信号はチョークコイルを含む直流供給ラインＬ１、Ｌ３には流れない。
【００３０】
さて、直流給ラインＬ３における電流検出用抵抗Ｒ１には電流検出部ＤＴが接続されている。電流検出部ＤＴは電流検出用抵抗Ｒ１の両端に生ずる電圧を検出する。電流検出部ＤＴには、その検出値がある値を越えるとスイッチＳＷを切り替えるデュアルインバータＤＩが接続されている。
【００３１】
本信号切替え回路は以下のように作用する。端子部Ｐ２にはパッチアンテナ装置２０の同軸ケーブル２２に接続されたジャックが差し込まれているものとする。別体のアンテナ装置の同軸ケーブルに接続されたジャックが端子部Ｐ３に差し込まれると、別体のアンテナ装置に至る回路が形成されることで電流検出用抵抗Ｒ１に電流が流れる。電流検出部ＤＴではこの電流を検出し、ある値を越える検出値を出力する。その結果、デュアルインバータＤＩはスイッチＳＷを受信信号供給ラインＬ４側に切り替える。これにより、別体のアンテナ装置で受信された高周波信号が、受信信号供給ラインＬ４、スイッチＳＷを経由してデジタルチューナに供給される。
【００３２】
別体のアンテナ装置の同軸ケーブルに接続されたジャックが端子部Ｐ３から抜かれると、電流検出用抵抗Ｒ１には電流が流れない。従って、電流検出部ＤＴからの検出値は無くなる。この場合、デュアルインバータＤＩはスイッチＳＷを受信信号供給ラインＬ２側に切り替える。これにより、パッチアンテナ装置２０で受信された高周波信号が、受信信号供給ラインＬ２、スイッチＳＷを経由してデジタルチューナに供給される。
【００３３】
以上のように、別体のアンテナ装置の同軸ケーブルに接続されたジャックの挿抜に応じて自動的に受信信号の切替えが行われる。
【００３４】
上記の形態では、パッチアンテナ装置２０の同軸ケーブル２２に接続されたジャックを端子部Ｐ２に常時差し込んだ状態とし、この状態においてはスイッチＳＷが受信信号供給ラインＬ２側を選択するように構成している。従って、パッチアンテナ装置２０による受信にプライオリティを与えるようにしている。
【００３５】
しかしながら、本発明はこのような形態に限定されない。
【００３６】
例えば、通常状態では、スイッチＳＷが受信信号供給ラインＬ２側を選択するようにし、端子部Ｐ２、Ｐ３にはジャックが差し込まれていなくても良い。この場合、もし端子部Ｐ２にジャックが差し込まれれば、パッチアンテナ装置２０からの高周波信号がデジタルチューナに供給される。一方、端子部Ｐ３にジャックが差し込まれれば、上述した動作により、別体のアンテナ装置からの高周波信号がデジタルチューナに供給される。この場合、通常状態において端子部Ｐ２にはジャックが差し込まれていないことにより、パッチアンテナ装置２０に直流の供給を行わなくても良く、その分、消費電力を削減することができる。これは特に、本可搬型音響機器がバッテリで動作するようにされている場合に有効である。
【００３７】
あるいはまた、通常状態では、スイッチＳＷが受信信号供給ラインＬ４側を選択するようにし、端子部Ｐ２、Ｐ３には常時ジャックが差し込まれているようにしても良い。この場合、端子部Ｐ３からジャックが抜かれたことを電流検出部ＤＴで検出してスイッチＳＷを受信信号供給ラインＬ２側に切り替えるようにすれば良い。つまり、デュアルインバータＤＩは、電流検出部ＤＴの検出値が無くなると、スイッチＳＷを受信信号供給ラインＬ２側に切り替える。この場合、別体のアンテナ装置による受信にプライオリティが与えられることになる。
【００３８】
上記の形態によるアンテナ用信号切替え回路によれば、ユーザが端子部にジャックの挿抜を行うだけで受信信号の切替えを自動的に行うことができる。加えて、切替え用のスイッチとして、例えば高周波リレーやＲＦスイッチを使用せずに済むので最小のコストで自動切替えを実現できる。
【００３９】
以上、本発明を可搬型音響機器に適用する場合について説明したが、本発明によるアンテナ用信号切替え回路の適用分野はこのような可搬型音響機器に限定されるものでは無く、２つのアンテナ装置の受信信号の切替えを行う場合全般に適用され得る。また、アンテナ装置も図２、図３で説明したようなパッチアンテナ装置に限定されるものでも無い。
【図面の簡単な説明】
【００４０】
【図１】本発明によるアンテナ用信号切替え回路の実施の形態を示した図である。
【図２】本発明を可搬型音響機器に適用する場合に、これに内蔵されるパッチアンテナ装置の設置形態について説明するための図である。
【図３】図２の構成の分解断面図である。
【符号の説明】
【００４１】
１０    蓋
１１    トップカバー
１２    ボトムカバー
１３    窓部材
２０    パッチアンテナ装置
２１    アンテナ部
２２    同軸ケーブル
ＤＴ    電流検出部
ＤＩ    デュアルインバータ
Ｐ１〜Ｐ３    端子部
ＣＣ１〜ＣＣ３    チョークコイル
Ｒ１    電流検出用抵抗
Ｌ１、Ｌ３    直流供給ライン
Ｌ２、Ｌ４    受信信号供給ライン
【図１】
2005236765.tif 000003
【図２】
2005236765.tif 000004
【図３】
2005236765.tif 000005